(57)【要約】【課題】既存防水層を残したまま防水層を新設する場合に工期を短縮できるようにする。【解決手段】断熱材１０と防水シート１１とを一体化した防水パネル１を用い、複数の防水パネル１、１を既存防水層１０１の上に並べて配置して屋根１００に固定する。防水シート１１の張り出した部分を、隣に並ぶ別の防水シート１１に接着する。【選択図】図８
2020169539.tif 000002
【特許請求の範囲】
【請求項１】
屋根の既存防水層の上に防水層を新設する防水施工方法において、
矩形板状に形成された断熱材と、当該断熱材の上面に接着により一体化された防水シートとを備えた防水パネルを用意し、前記断熱材の連続する２辺から前記防水シートが張り出すように当該防水シートを設けておき、
複数の前記防水パネルを前記防水シートが上になるように前記既存防水層の上に並べて配置して前記屋根に固定する固定工程と、
前記防水パネルの前記防水シートの張り出した部分を、当該防水パネルの隣に並ぶ別の前記防水パネルの前記防水シートに接着する接着工程とを備えていることを特徴とする防水施工方法。
【請求項２】
請求項１に記載の防水施工方法において、
前記防水パネルの前記防水シートは、前記断熱材の上面における前記２辺の近傍部分に対して非接着であることを特徴とする防水施工方法。
【請求項３】
請求項２に記載の防水施工方法において、
前記防水シートと、前記断熱材の上面における前記２辺の近傍部分との間に断熱材止め付け用鋼板を配置し、当該断熱材止め付け用鋼板により前記断熱材を前記屋根に止め付け、
前記防水シートは、前記断熱材止め付け鋼板に対して非接着であることを特徴とする防水施工方法。
【請求項４】
請求項２に記載の防水施工方法において、
前記防水シートと、前記断熱材の上面における前記２辺の近傍部分との間に断熱材止め付け用鋼板を配置し、当該断熱材止め付け用鋼板により前記断熱材を前記屋根に止め付け、
前記防水シートは、前記断熱材止め付け鋼板に対して接着することを特徴とする防水施工方法。
【請求項５】
請求項４に記載の防水施工方法において、
前記防水シートは塩化ビニル製のシートであり、
前記断熱材止め付け鋼板は、その上面が塩化ビニルで被覆された塩ビ被覆鋼板であることを特徴とする防水施工方法。
【請求項６】
請求項１から５のいずれか１つに記載の防水施工方法において、
前記防水シートの上に防水パネル止め付け用鋼板を配置し、当該防水パネル止め付け用鋼板により前記防水パネルを前記屋根に止め付け、
前記防水パネル止め付け用鋼板を覆うように防水性被覆材を配置し、当該防水性被覆材を前記防水シートに接着することを特徴とする防水施工方法。
【発明の詳細な説明】
【技術分野】
【０００１】
本発明は、例えば勾配屋根に適用可能な防水施工方法に関する。
【背景技術】
【０００２】
従来より、勾配屋根としては、波板形状の金属板を敷き並べて構成した折板屋根やスレート屋根が知られている（例えば、特許文献１、２参照）。
【０００３】
特許文献１では、折板屋根等の金属製屋根を構成している防水下地の上に板状の断熱部材を敷設し、その断熱部材の上に固定用ディスクを配置して、固定用ビスによって固定用ディスクを防水下地に固定している。固定用ディスクの上面には、ホットメルト接着層を設けている。断熱部材及び固定用ディスクの上に合成樹脂製の防水シートを敷設し、この防水シートを固定用ディスクのホットメルト接着層に接着固定している。
【０００４】
特許文献２では、金属外皮の間に断熱材を介在させた複数の断熱パネルを互いに隣接するように並設し、これら断熱パネルの上に防水シートを敷設している。金属外皮には樹脂層を形成している。防水シートを金属外皮の樹脂層に熱融着している。
【先行技術文献】
【特許文献】
【０００５】
【特許文献１】特開２０１６−７５１０９号公報
【特許文献２】特許第４６８５５９２号公報
【発明の概要】
【発明が解決しようとする課題】
【０００６】
ところで、防水シートを用いて改修を行う際は、既存防水層を残したまま施工を行うことが多い。既存防水層と新設の防水シートとの間には断熱材や緩衝フォームといった絶縁層の設置が不可欠となっている。
【０００７】
既存防水層と新設の防水シートとの間に絶縁層としての断熱材を設置する場合、既存防水層に断熱材を載置した後、断熱材が風で飛ばされないように当該断熱材を止め付け、その後、断熱材を覆うように防水シートを配置した後、防水シートが風で飛ばされないように当該防水シートを止め付けるといった複数の工程を経て施工する必要がある。このため、施工に時間を要し、ひいては工期が長期間化してしまうという問題があった。
【０００８】
本発明は、かかる点に鑑みてなされたものであり、その目的とするところは、既存防水層を残したまま防水層を新設する場合に工期を短縮できるようにすることにある。
【課題を解決するための手段】
【０００９】
上記目的を達成するために、本発明では、断熱材と防水シートとを予め一体化した防水パネルを用いた。
【００１０】
第１の発明は、屋根の既存防水層の上に防水層を新設する防水施工方法において、矩形板状に形成された断熱材と、当該断熱材の上面に接着により一体化された防水シートとを備えた防水パネルを用意し、前記断熱材の連続する２辺から前記防水シートが張り出すように当該防水シートを設けておき、複数の前記防水パネルを前記防水シートが上になるように前記既存防水層の上に並べて配置して前記屋根に固定する固定工程と、前記防水パネルの前記防水シートの張り出した部分を、当該防水パネルの隣に並ぶ別の前記防水パネルの前記防水シートに接着する接着工程とを備えていることを特徴とする。
【００１１】
この構成によれば、防水パネルを防水シートが上になるように屋根の既存防水層の上に並べて配置することで、既存防水層と新設の防水シートとの間に断熱材を絶縁層として設けることが可能になる。このとき、断熱材と防水シートとが予め一体化されているので、断熱材の敷設と防水シートの敷設とが同時に行われることになり、施工時間が短縮する。また、防水パネルを屋根に固定することで、断熱材の固定と、防水シートの固定とが同時に行われるので、このことによっても施工時間が短縮する。そして、防水シートの張り出した部分を、隣に並ぶ別の防水パネルの防水シートに接着することで、防水パネル間の止水性が確保される。
【００１２】
第２の発明は、前記防水パネルの前記防水シートは、前記断熱材の上面における前記２辺の近傍部分に対して非接着であることを特徴とする。
【００１３】
この構成によれば、防水シートと、断熱材の上面における２辺の近傍部分とが接着されていないので、例えば、防水シートと断熱材の上面との間に、断熱材を屋根に止め付けるための部材を配置し、当該部材によって断熱材を屋根に止め付ける作業を行うことができる。その後、防水シートの張り出した部分を、隣に並ぶ別の防水パネルの防水シートに接着することで、防水パネル間の止水性が確保される。
【００１４】
第３の発明は、前記防水シートと、前記断熱材の上面における前記２辺の近傍部分との間に断熱材止め付け用鋼板を配置し、当該断熱材止め付け用鋼板により前記断熱材を前記屋根に止め付け、前記防水シートは、前記断熱材止め付け鋼板に対して非接着であることを特徴とする。
【００１５】
この構成によれば、防水シートと断熱材の上面との間に配置した止め付け用鋼板により断熱材を屋根に止め付けることができる。防水シートは止め付け鋼板に対して接着されていないので、例えば風圧が止め付け鋼板に対して直接的に作用し難くなる。
【００１６】
第４の発明は、前記防水シートと、前記断熱材の上面における前記２辺の近傍部分との間に断熱材止め付け用鋼板を配置し、当該断熱材止め付け用鋼板により前記断熱材を前記屋根に止め付け、前記防水シートは、前記断熱材止め付け鋼板に対して接着することを特徴とする。
【００１７】
この構成によれば、防水シートと断熱材の上面との間に配置した止め付け用鋼板により断熱材を屋根に止め付けることができる。防水シートは止め付け鋼板に対して接着されているので、防水シートの一部を、止め付け鋼板を利用して固定することが可能になる。
【００１８】
第５の発明は、前記防水シートは塩化ビニル製のシートであり、前記断熱材止め付け鋼板は、その上面が塩化ビニルで被覆された塩ビ被覆鋼板であることを特徴とする。
【００１９】
この構成によれば、防水シートと止め付け鋼板とを、熱による融着または溶剤による溶着によって強固に接着することが可能になる。
【００２０】
第６の発明は、前記防水シートの上に防水パネル止め付け用鋼板を配置し、当該防水パネル止め付け用鋼板により前記防水パネルを前記屋根に止め付け、前記防水パネル止め付け用鋼板を覆うように防水性被覆材を配置し、当該防水性被覆材を前記防水シートに接着することを特徴とする。
【００２１】
この構成によれば、防水パネルの固定強度がより一層高まるとともに、止水性を確保することが可能になる。
【発明の効果】
【００２２】
第１の発明によれば、断熱材と防水シートとが一体化された防水パネルを既存防水層の上に並べて配置して屋根に固定し、防水シートの張り出した部分を隣に並ぶ別の防水パネルの防水シートに接着するようにしたので、既存防水層の上に防水層を短期間で新設することができる。
【００２３】
第２の発明によれば、防水パネルの防水シートが断熱材の上面における２辺の近傍部分に対して非接着とされているので、防水シートと断熱材の上面との間に、断熱材を屋根に止め付けるための部材を配置して断熱材を屋根に止め付けることができる。
【００２４】
第３の発明によれば、防水シートと、断熱材の上面における２辺の近傍部分との間に配置した止め付け用鋼板により断熱材を屋根に止め付け、防水シートを止め付け鋼板に対して接着しないようにしたので、風圧が止め付け鋼板に対して直接的に作用し難くなり、止め付け鋼板による固定力を長期間に亘って維持することができる。
【００２５】
第４の発明によれば、防水シートと、断熱材の上面における２辺の近傍部分との間に配置した止め付け用鋼板により断熱材を屋根に止め付け、防水シートを止め付け鋼板に対して接着したので、止め付け鋼板を利用して防水シートの位置を固定することができる。
【００２６】
第５の発明によれば、防水シートを塩化ビニル製とし、止め付け鋼板を塩ビ被覆鋼板としたので、容易にかつ強固に接着することができる。
【００２７】
第６の発明によれば、防水パネルを屋根に止め付けた後、止め付け用鋼板を覆うように防水性被覆材を配置して防水シートに接着することができるので、止水性を維持した状態で防水パネルの固定強度を高めることができる。
【図面の簡単な説明】
【００２８】
【図１】本発明の実施形態１に係る防水施工方法に使用される第１防水パネルを上方から見た斜視図である。
【図２】第１防水パネルの平面図である。
【図３】第１防水パネルの側面図である。
【図４】第１防水パネルの端面図である。
【図５】第２防水パネルの平面図である。
【図６】第１防水パネルと第２防水パネルとを屋根の既存防水層の上に並べて配置した状態を示す平面図である。
【図７】施工後の第１防水パネルを上方から見た斜視図である。
【図８】図７のVIII−VIII線断面図である。
【図９】実施形態２に係る図８相当図である。
【図１０】実施形態３に係る図７相当図である。
【図１１】実施形態３に係る図８相当図である。
【発明を実施するための形態】
【００２９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３０】
（実施形態１）
図１は、本発明の実施形態１に係る防水施工方法に使用される第１防水パネル１を上方から見た斜視図である。図８に示すように、第１防水パネル１は、屋根１００の既存防水層１０１の上に防水層１０２を新設する防水施工方法で使用される部材である。この屋根１００は、平部が一方向に傾斜した勾配屋根である。勾配の方向は任意に設定することができる。屋根１００は、合成スラブ用デッキプレート１０３と、合成スラブ用デッキプレート１０３の上に設けられた既存防水層１０１とを備えている。合成スラブ用デッキプレート１０３は、例えば板厚が１．２ｍｍ程度の金属板を折り曲げることによって構成されている。合成スラブ用デッキプレート１０３によって防水下地が構成されている。既存防水層１０１は、従来から周知の板状の部材からなるものであり、合成スラブ用デッキプレート１０３の上面に複数枚が互いに隣接するように並設されている。
【００３１】
実施形態１では、図２〜図４に示す第１防水パネル１と、図５に示す第２防水パネル２とが使用される。第１防水パネル１と第２防水パネル２とは、構造は同じであり、形状が異なるだけであるため、以下、第１防水パネル１の構造について詳細に説明する。
【００３２】
第１防水パネル１は、矩形板状に形成された断熱材１０と、当該断熱材１０の上面に接着により一体化された防水シート１１とを備えている。断熱材１０と防水シート１１との接着は、従来から周知の接着剤等によって可能である。断熱材１０の厚みは、特に限定されるものではないが、例えば５ｍｍ以上５０ｍｍ以下に設定することができる。また、断熱材１０の幅や長さは、数十ｃｍ以上の任意の寸法に設定することができる。
【００３３】
断熱材１０は、長方形であっても正方形であってもよい。断熱材１０の縁部を構成する４辺（第１辺Ａ１、第２辺Ａ２、第３辺Ａ３、第４辺Ａ４）は、それぞれ直線状に延びており、連続する２辺（第１辺Ａ１と第２辺Ａ２、第２辺Ａ２と第３辺Ａ３、第３辺Ａ３と第４辺Ａ４、第４辺Ａ４と第１辺Ａ１）は互いに略直角をなすように交わっている。
【００３４】
断熱材１０は、樹脂発泡体で構成されている。樹脂発泡体としては、例えば、押し出し法ポリスチレンフォーム（ＸＰＳ)、ビーズ法ポリスチレンフォーム（ＥＰＳ)、フェノールフォーム、硬質ポリウレタンフォーム、発泡ポリエチレン等をあげることができる。断熱材１０を屋根１００に締結固定する場合は、耐候性、耐熱性の高い硬質ポリウレタンフォームが好ましく、さらに、難燃性の高いイソシアヌレート環を含むいわゆるポリイソシアヌレートフォームが好ましい。断熱材１０を接着固定する場合は、下地の不陸を吸収するために、比較的硬度の低い発泡ポリエチレンが好ましい。
【００３５】
防水シート１１は、例えば軟質塩化ビニル樹脂またはポリオレフィン樹脂で構成することができる。防水シート１１の厚みは特に限定されるものではないが、断熱材１０よりも薄く、例えば１ｍｍ〜３ｍｍ程度に設定することができる。
【００３６】
防水シート１１も矩形状とされている。防水シート１１の縁部を構成する４辺（第１辺Ｂ１、第２辺Ｂ２、第３辺Ｂ３、第４辺Ｂ４）は、それぞれ直線状に延びており、連続する２辺（第１辺Ｂ１と第２辺Ｂ２、第２辺Ｂ２と第３辺Ｂ３、第３辺Ｂ３と第４辺Ｂ４、第４辺Ｂ４と第１辺Ｂ１）は互いに略直角をなすように交わっている。
【００３７】
防水シート１１は断熱材１０の連続する２辺から張り出すように設けられている。すなわち、防水シート１１の第１辺Ｂ１及び第２辺Ｂ２は、それぞれ、断熱材１０の第１辺Ａ１及び第２辺Ａ２よりも長くなっているとともに、断熱材１０の第１辺Ａ１及び第２辺Ａ２から外方に離れて位置付けられている。防水シート１１の張出量、即ち、防水シート１１の第１辺Ｂ１と断熱材１０の第１辺Ａ１との水平方向の距離、防水シート１１の第２辺Ｂ２と断熱材１０の第２辺Ａ２との水平方向の距離は、例えば５０ｍｍ程度に設定することができるが、これに限らず、例えば３０ｍｍ〜１００ｍｍの間の任意の寸法に設定することができる。防水シート１１の第１辺Ｂ１と断熱材１０の第１辺Ａ１とは互いに平行であり、また、防水シート１１の第２辺Ｂ２と断熱材１０の第２辺Ａ２とは互いに平行である。
【００３８】
一方、防水シート１１の第３辺Ｂ３及び第４辺Ｂ４は、それぞれ、断熱材１０の第３辺Ａ３及び第４辺Ａ４と一致しており、断熱材１０の第３辺Ａ３及び第４辺Ａ４上に、それぞれ防水シート１１の第３辺Ｂ３及び第４辺Ｂ４が位置している。
【００３９】
この実施形態では、防水シート１１の第１辺Ｂ１及び第２辺Ｂ２が張り出すように形成されているが、これに限らず、防水シート１１の第２辺Ｂ２及び第３辺Ｂ３が張り出すように形成されていてもよいし、防水シート１１の第３辺Ｂ３及び第４辺Ｂ４が張り出すように形成されていてもよいし、防水シート１１の第４辺Ｂ１及び第１辺Ｂ１が張り出すように形成されていてもよい。
【００４０】
第１防水パネル１の防水シート１１は、断熱材１０の上面における第１辺Ａ１及び第２辺Ａ２の近傍部分に対して非接着である。図２に斜線で示す領域は、防水シート１１と断熱材１０とが接着されている領域であり、防水シート１１と断熱材１０とが重なった範囲において斜線で示す領域以外の部分では、防水シート１１と断熱材１０とが互いに接着されていない。断熱材１０の第１辺Ａ１から第３辺Ａ３側に離れた所定の領域と、断熱材１０の第２辺Ａ２から第４辺Ａ４側に離れた所定の領域とが、防水シート１１に接着されていないので、防水シート１１をその第３辺Ｂ３側へめくることができるとともに、第４辺Ｂ４側へもめくることができる。防水シート１１の接着されていない領域は、接着されている領域に比べて狭く設定されており、防水シート１１の断熱材１０への接着強度は十分に確保されている。
【００４１】
図５に示す第２防水パネル２は、第１防水パネル１と同様に、断熱材２０と防水シート２１とを備えており、防水シート２１は断熱材２０の連続する２辺から張り出すように設けられている。また、図５に斜線で示す領域は、防水シート２１と断熱材２０とが接着されている領域であり、防水シート２１と断熱材２０とが重なった範囲において斜線で示す領域以外の部分では、防水シート２１と断熱材２０とが互いに接着されていない。
【００４２】
次に、本発明の実施形態に係る防水施工方法について説明する。図６は、複数の第１防水パネル１及び第２防水パネル２を各々の防水シート１１、２１が上になるように既存防水層１０１の上に並べて配置して屋根１００に固定する工程を説明する図である。この例では、第１防水パネル１と、この第１防水パネル１よりも一方向の寸法が短い第２防水パネル２とを組み合わせて使用している。これにより、例えばＣ部では、第１防水パネル１の防水シート１１と、第２防水パネル２の防水シート２１との２枚が重なることになり、また、Ｄ部では３枚の第１防水パネル１の防水シート１１が互いに重なることになる。つまり、寸法の異なる第１防水パネル１及び第２防水パネル２を組み合わせることで、防水シート１１、２１が最も多く重なる箇所でも３枚で済む。尚、必要に応じて第１防水パネル１のみを使用してもよいし、第２防水パネル２のみを使用してもよい。
【００４３】
図７及び図８に示すように、防水シート１１と、断熱材１０の上面における第１辺Ａ１の近傍部分との間に複数の断熱材止め付け用鋼板２００を配置し、当該断熱材止め付け用鋼板２００により断熱材１０を屋根１００に止め付ける。断熱材止め付け用鋼板２００は、例えば円板状のディスク鋼板を使用することができる。断熱材止め付け用鋼板２００は、防水シート１１と断熱材１０の上面との非接着部分に配置することができ、断熱材止め付け用鋼板２００の直下方に合成スラブ用デッキプレート１０の凸形状部分が位置するように、断熱材止め付け用鋼板２００の配設位置が設定されている。断熱材止め付け用鋼板２００は、固定用ビス２０１によって合成スラブ用デッキプレート１０３に締結固定されている。固定用ビス２０１は、例えば、セルフドリリングスクリュー等で構成することができ、断熱材止め付け用鋼板２００及び断熱材１０を上方から貫通して合成スラブ用デッキプレート１０３の凸形状部分にねじ込まれる。固定用ビス２０１を合成スラブ用デッキプレート１０３の凸形状部分にねじ込むことで、断熱材止め付け用鋼板２００を断熱材１０に押し付け、断熱材止め付け用鋼板２００が押し付けられた断熱材１０は合成スラブ用デッキプレート１０の凸形状部分に押し付けられて固定される。また、防水シート１１と、断熱材１０の上面における第２辺Ａ２の近傍部分との間に複数の断熱材止め付け用鋼板２００を配置し、当該断熱材止め付け用鋼板２００により断熱材１０を屋根１００に止め付けることもできる。防水シート１１は、断熱材止め付け鋼板２００に対して非接着である。以上が、本発明の固定工程である。
【００４４】
上記固定工程の後、第１防水パネル１の防水シート１１の張り出した部分を、当該防水パネル１の隣に並ぶ別の第１防水パネル１の防水シート１１（または第２防水パネル２の防水シート２１）に接着する接着工程を行う。図８に示すように、左側に位置する第１防水パネル１の防水シート１１の張り出した部分を、その第１防水パネル１の右隣りに並ぶ第１防水パネル１の防水シート１１の上面に重ねてから、左側の防水シート１１を、右側の防水シート１１に熱により融着するか、溶剤により溶着する。融着時に用いる器具は従来から周知の器具を用いることができ、また、溶着時に用いる溶剤は従来から周知の溶剤を用いることができる。
【００４５】
（実施形態の作用効果）
以上説明したように、この実施形態１に係る防水施工方法によれば、第１防水パネル１及び第２防水パネル２を防水シート１１、２１が上になるように屋根１００の既存防水層１０１の上に並べて配置することで、既存防水層１００と新設の防水シート１１、２１との間に断熱材１０、２０を絶縁層として設けることが可能になる。このとき、断熱材１０、２０と防水シート１１、２１とが予め一体化されているので、断熱材１０、２０の敷設と防水シート１１、２１の敷設とが同時に行われることになり、施工時間が短縮する。また、第１防水パネル１及び第２防水パネル２を屋根１００に固定することで、断熱材１０、２０の固定と、防水シート１１、２１の固定とが同時に行われるので、このことによっても施工時間が短縮する。そして、第１防水パネル１の防水シート１１の張り出した部分を、隣に並ぶ別の防水パネル１の防水シート１１に接着することで、防水パネル１、１間の止水性が確保される。したがって、既存防水層１０１を残したまま、防水シート１１、２１によって防水層を新設する場合に工期を短縮できる。
【００４６】
また、第１防水パネル１の防水シート１１と、断熱材１０の上面における第１辺Ａ１、第２辺Ａ２の近傍部分とが接着されていないので、例えば、防水シート１１と断熱材１０の上面との間に、断熱材１０を屋根１００に止め付けるための断熱材止め付け用鋼板２００を配置し、当該断熱材止め付け用鋼板２００によって断熱材１０を屋根１００に止め付ける作業を行うことができる。
【００４７】
さらに、第１防水パネル１の防水シート１１は断熱材止め付け用鋼板２００に対して接着されていないので、例えば風圧が断熱材止め付け用鋼板２００に対して直接的に作用し難くなり、断熱材止め付け用鋼板２００による固定力を長期間に亘って維持することができる。
【００４８】
（実施形態２）
図９は、本発明の実施形態２に係り、この実施形態２では、防水シート１１を断熱材止め付け鋼板２００に対して接着するようにした点で実施形態１と異なっており、他の部分は実施形態１と同じであるため、以下、実施形態１と同じ部分には同じ符号を付して説明を省略し、異なる部分について詳細に説明する。
【００４９】
断熱材止め付け鋼板２００は、その上面が塩化ビニルで被覆された塩ビ被覆鋼板で構成されている。すなわち、断熱材止め付け鋼板２００は、鋼板からなる円板部材２００ａと、円板部材２００ａの上面を覆う塩化ビニル層２００ｂとで構成されており、円板部材２００ａと塩化ビニル層２００ｂとは一体化されている。
【００５０】
断熱材止め付け鋼板２００で断熱材１０を屋根１００に固定した後、断熱材止め付け鋼板２００の塩化ビニル層２００ｂと防水シート１１とを融着または溶着することで、断熱材止め付け鋼板２００と防水シート１１とを一体化する。これにより、防水シート１１の一部を、断熱材止め付け鋼板２００を利用して固定することが可能になる。
【００５１】
この実施形態２においても、実施形態１と同様に、既存防水層１０１を残したまま、防水層を新設する場合に工期を短縮できる。
【００５２】
（実施形態３）
図１０及び図１１は、本発明の実施形態３に係り、この実施形態３では、防水シート１１の上に防水パネル止め付け用鋼板２５０を配置し、当該防水パネル止め付け用鋼板２５０により防水パネル１を屋根１００に止め付け、防水パネル止め付け用鋼板２５０を覆うように防水性被覆材３００を配置し、当該防水性被覆材３００を防水シート１１に接着するようにした点で実施形態１と異なっており、他の部分は実施形態１と同じであるため、以下、実施形態１と同じ部分には同じ符号を付して説明を省略し、異なる部分について詳細に説明する。
【００５３】
防水パネル止め付け用鋼板２５０は、実施形態２の断熱材止め付け鋼板２００と同様に塩ビ被覆鋼板で構成されており、鋼板からなる円板部材２５０ａと、円板部材２５０ａの上面を覆う塩化ビニル層２５０ｂとを備えている。
【００５４】
防水パネル止め付け用鋼板２５０は、防水パネル１を既存防水層１０１の上に載置した後、当該防水パネル１の上に置く。そして、セルフドリリングスクリュー等で構成された固定用ビス２５１により、防水パネル止め付け用鋼板２５０を合成スラブ用デッキプレート１０３の凸形状部分に締結固定する。これにより、防水パネル１を屋根１００に固定することができる。
【００５５】
その後、防水性被覆材３００を、防水パネル止め付け用鋼板２５０を覆うように配置するとともに、防水シート１１に対して融着または溶着する。これにより、止水性を確保することができる。
【００５６】
この実施形態３においても、実施形態１と同様に、既存防水層１０１を残したまま、防水層を新設する場合に工期を短縮できる。
【００５７】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５８】
以上説明したように、本発明に係る防水施工方法は、例えば、勾配屋根に防水層を形成する場合に利用することができる。
【符号の説明】
【００５９】
１              防水パネル
１０            断熱材
１１            防水シート
１００          屋根
１０１          既存防水層
２００          断熱材止め付け鋼板
２５０          防水パネル止め付け用鋼板
３００          防水性被覆材
【図１】
2020169539.tif 000003
【図２】
2020169539.tif 000004
【図３】
2020169539.tif 000005
【図４】
2020169539.tif 000006
【図５】
2020169539.tif 000007
【図６】
2020169539.tif 000008
【図７】
2020169539.tif 000009
【図８】
2020169539.tif 000010
【図９】
2020169539.tif 000011
【図１０】
2020169539.tif 000012
【図１１】
2020169539.tif 000013